(57)【要約】【課題】  バルコニーへの通風を確保しつつ、バルコニー及びバルコニーの屋内側に設けられる建物開口部への視線を制御するとともに、バルコニーの下階の日射を遮る効果を併せ持ち、且つ、一体化した統一感のあるデザインとすることができるバルコニーを有する建物を提供する。【解決手段】建物１は、少なくとも複数階層を有し、下階の外壁面よりも屋外方向にバルコニー２が突出して設けられる建物１であって、前記バルコニー２は、該バルコニー２の床板７と、該床板７の先端部に沿って下方に設けられる水平材１４と、該水平材１４の下端部と前記下階の外壁面との間に水平に設けられる軒天井１１と、前記水平材１４の屋外側に立設される格子面材２２と、を有し、該格子面材２２は、上端が前記バルコニー２の床板７よりも上方に所定高さまで延びて配置されるとともに、下端が前記軒天井１１よりも下方に延びて配置される。【選択図】図８
2014074276.tif 000002
【特許請求の範囲】
【請求項１】
少なくとも複数階層を有し、下階の外壁面よりも屋外方向にバルコニーが突出して設けられる建物であって、
前記バルコニーは、該バルコニーの床板と、該床板の先端部に沿って下方に設けられる水平材と、該水平材の下端部と前記下階の外壁面との間に水平に設けられる軒天井と、前記水平材の屋外側に立設される格子面材と、を有し、
該格子面材は、上端が前記バルコニーの床板よりも上方に所定高さまで延びて配置されるとともに、下端が前記軒天井よりも下方に延びて配置されることを特徴とする建物。
【請求項２】
前記バルコニーの床板の端縁に立設される手摺り柱と、
当該手摺り柱から屋外方向に突出する複数の第一取付け片と、
前記水平材から屋外方向に突出する複数の第二取付け片と、
を備え、
前記格子面材は、前記第一取付け片及び前記第二取付け片に係止されることを特徴とする請求項１に記載の建物。
【請求項３】
前記格子面材は鉛直方向に連続する複数のパーツを組み合わせて形成されており、
これら複数のパーツがそれぞれ前記第一取付け片又は前記第二取付け片に係止されることにより前記格子面材を形成することを特徴とする請求項１又は請求項２に記載の建物。
【請求項４】
前記複数のパーツのうち少なくとも最も下側のパーツは、当該パーツの上部に前記第二取り付け片に係止する係止部を有することを特徴とする請求項３に記載の建物。
【請求項５】
前記格子面材は、水平方向に長尺な複数の長手材を互いに等間隔を開けて鉛直方向に複数並べた横格子であることを特徴とする請求項１から請求項４のいずれかに記載の建物。
【請求項６】
前記格子面材は、下端が前記軒天井よりも下方に配置される状態から、下端が前記軒天井よりも上方に配置される状態に移行可能であることを特徴とする請求項１から請求項５のいずれかに記載の建物。
【請求項７】
前記格子面材は、前記軒天井よりも下方に配置されている部分が、前記軒天井側に折曲可能であることを特徴とする請求項１から請求項５のいずれかに記載の建物。
【発明の詳細な説明】
【技術分野】
【０００１】
本発明は、主に住宅などの建物に関し、特にバルコニーに格子面材が立設される建物に関する。
【背景技術】
【０００２】
従来より、住宅等の建物において、建物開口部への視線を遮りつつ、採光や通風を確保するために、開口部の屋外側に格子面材を立設させる技術が知られている。例えば、特許文献１には、等間隔に固定された複数の水平材を備え、隣接する水平材の間には小開口部が形成されている横格子面材をバルコニーの縁部に立設しており、バルコニー及び当該バルコニーの奥に設けられている建物開口部への視線を遮るとともに、採光及び通風を確保した構成が開示されている。
【０００３】
また、特許文献２には、バルコニーの下端部を下階部の窓の上端部とほぼ同じ高さになるように垂れさせて、夏の高度の高い日射をバルコニーにより遮り、下階部への日射を効果的に遮る構成が提案されている。
【先行技術文献】
【特許文献】
【０００４】
【特許文献１】特開２００６−３２８７３８号公報
【特許文献２】特開２００７−９２４１５号公報
【発明の概要】
【発明が解決しようとする課題】
【０００５】
しかし、上述の従来技術においては、バルコニーの横面格子材と、バルコニーの下階部分の垂れ部分とが、デザイン上の統一感がないため、建物全体のデザインが雑多なものとなる恐れがある。
【０００６】
そこで、本発明は、バルコニーへの通風を確保しつつ、バルコニー及びバルコニーの屋内側に設けられる建物開口部への視線を制御するとともに、バルコニーの下階の日射を遮る効果を併せ持ち、且つ、一体化した統一感のあるデザインとすることができるバルコニーを有する建物を提供することを目的とする。
【課題を解決するための手段】
【０００７】
請求項１に記載の建物は、少なくとも複数階層を有し、下階の外壁面よりも屋外方向にバルコニーが突出して設けられる建物であって、前記バルコニーは、該バルコニーの床板と、該床板の先端部に沿って下方に設けられる水平材と、該水平材の下端部と前記下階の外壁面との間に水平に設けられる軒天井と、前記水平材の屋外側に立設される格子面材と、を有し、該格子面材は、上端が前記バルコニーの床板よりも上方に所定高さまで延びて配置されるとともに、下端が前記軒天井よりも下方に延びて配置されることを特徴としている。
【０００８】
請求項２に記載の建物は、前記バルコニーの床板の端縁に立設される手摺り柱と、当該手摺り柱から屋外方向に突出する複数の第一取付け片と、前記水平材から屋外方向に突出する複数の第二取付け片と、を備え、前記格子面材は、前記第一取付け片及び前記第二取付け片に係止されることを特徴としている。
【０００９】
請求項３に記載の建物は、前記格子面材は鉛直方向に連続する複数のパーツを組み合わせて形成されており、これら複数のパーツがそれぞれ前記第一取付け片又は前記第二取付け片に係止されることにより前記格子面材を形成することを特徴としている。
【００１０】
請求項４に記載の建物は、前記複数のパーツのうち少なくとも最も下側のパーツは、当該パーツの上部に前記第二取り付け片に係止する係止部を有することを特徴としている。
【００１１】
請求項５に記載の建物は、前記格子面材は、水平方向に長尺な複数の長手材を互いに等間隔を開けて鉛直方向に複数並べた横格子であることを特徴としている。
【００１２】
請求項６に記載の建物は、前記格子面材は、下端が前記軒天井よりも下方に配置される状態から、下端が前記軒天井よりも上方に配置される状態に移行可能であることを特徴としている。
【００１３】
請求項７に記載の建物は、前記格子面材は、軒天井よりも下方に配置されている部分が、軒天井側に折曲可能であることを特徴としている。
【発明の効果】
【００１４】
請求項１に記載の建物によると、水平材の屋外側に沿って立設される格子面材が設けられ、その上端がバルコニーの床板よりも上方に所定高さまで延びて配置されることにより、バルコニーへの通風を確保しつつ、バルコニー及びバルコニーの屋内側に設けられる建物開口部への視線を制御することができる。そして、格子面材の下端が軒天井よりも下方に延びて配置されるので、バルコニーの下階への日射を遮ることができる。したがって、バルコニー設置階におけるバルコニーへの通風の確保、バルコニー及びバルコニーの屋内側に設けられる建物開口部への視線の制御、及びバルコニーの下階の日射の遮蔽の役割を同一の格子面材が果たすことによって、バルコニーを設置している建物のデザインを一体化した統一感のあるものとすることができる。
【００１５】
なお、ここで「格子面材の上端がバルコニーの床板よりも上方に所定高さまで延びて」における「所定高さ」は、例えば転落防止用の手摺りと略同一の高さである。なお格子面材の高さは、これよりも高いものであってもよい。
【００１６】
請求項２に記載の建物によると、格子面材は、バルコニーの床板の端縁に立設される手摺り柱から屋外方向に突出する複数の第一取付け片と、水平材から屋外方向に突出する複数の第二取付け片とに係止されるものであるので、比較的容易に施工することができる。
【００１７】
請求項３に記載の建物によると、格子面材は鉛直方向に連続する複数のパーツを組み合わせて形成されるものであって、これら複数のパーツがそれぞれ第一取付け片又は第二取付け片に係止されることにより格子面材を形成するものであるので、より一層容易に施工することができる。
【００１８】
請求項４に記載の建物によると、複数のパーツのうち最も下側のパーツの上部に第二取り付け片に係止する係止部を有するので、例えば軒天井にパーツを固定する場合よりも簡単な構成で容易に施工することができる。
【００１９】
請求項５に記載の建物によると、格子面材が、水平方向に長尺な複数の長手材を互いに等間隔を開けて鉛直方向に複数並べた横格子であるので、外部からの視線や日射は遮りつつ、通風を保つことができる。
【００２０】
請求項６に記載の建物によると、格子面材の下端が軒天井よりも下方に配置される状態から、軒天井よりも上方に配置される状態に移行可能であるので、必要に応じてバルコニーの下階への日射を遮る状態と、遮らない状態とを選択することができる。
【００２１】
請求項７に記載の建物によると、格子面材は、軒天井よりも下方に配置されている部分が、軒天井側に折曲可能であるので、格子面材の軒天井よりも下方に配置されている部分が軒天井に対して略平行に配置されることになり、バルコニーの下階へ日射を遮らない状態にすることができる。
【図面の簡単な説明】
【００２２】
【図１】建物の正面図。
【図２】建物の背面図。
【図３】建物の左側面図。
【図４】建物の右側面図。
【図５】建物の平面図。
【図６】図１のＩ−Ｉ断面図。
【図７】図１のII−II断面図。
【図８】図７のIII−III部分を１０倍に拡大した拡大図。
【図９】複数の格子面材を第一取付け片及び第二取付け片に取付ける状態を説明する図。
【図１０】図１のＡ−Ｂ部分を３倍に拡大した拡大図。
【図１１】格子面材を構成するパーツのうち、最も下側のパーツを折り畳み可能に構成した実施形態を示す図。
【図１２】図１１の実施形態において、最も下側のパーツを折り畳んだ状態を示す図。
【図１３】格子面材を構成するパーツのうち、最も下側のパーツを上下方向にスライド可能にした実施形態を示す図。
【図１４】図１３の実施形態において、最も下側のパーツを屋外方向に移動させて上方にスライドさせた状態を示す図。
【図１５】格子面材全体が上下方向にスライド可能に構成された実施形態を示す図。
【図１６】図１５の実施形態において、格子面材を上方にスライドさせた状態を示す図。
【図１７】格子面材の軒天井よりも下方に配置されている部分が、軒天井側に折曲可能に構成された実施形態を示す図。
【図１８】図１７の実施形態において、格子面材の軒天井よりも下方に配置されている部分を、軒天井側に折り曲げた状態を示す図。
【発明を実施するための形態】
【００２３】
以下、各図を参照しつつ、本発明の建物１の最良の実施形態について説明する。まず、図１から図５を参照しつつ、本実施形態の建物１の概略構成を説明する。本実施形態の建物１は、２階建ての工業化住宅（組立家屋）であって、１階の外壁面よりも屋外方向にバルコニー２が突出して設けられる建物１である。なお、本発明の建物１は住宅に限定されるものでなく、少なくとも下階の外壁面よりも屋外方向にバルコニー２が突出して設けられる建物１であればよい。また、２階建ての建物１に限定されるものではなく、複数階層を有する建物１であればよい。なお、本実施形態においては、便宜上建物１のバルコニー２を有する面を正面として説明する。
【００２４】
建物１の左側面には、図１及び図３に良く表わされるように、１階外壁面よりも２階が屋外方向に突出するオーバーハング部３が形成されている。また建物１背面には図２に示すように、玄関ドア４及び庇５が設けられており、玄関ポーチ６を形成している。建物１の右側面の外壁は図４に示すように、妻壁形状であり、外壁全面に窓Ｗが設けられている。この他、建物１の各所に窓Ｗが設けられている。なお、本発明の建物１はバルコニー２に特徴を有するものであり、その他の構成については、適宜変更することができるものであるので、詳細な説明は省略する。
【００２５】
建物１は、図１に示すように、正面の１階中央部に３連の掃き出し窓Ｗ１を有しており、２階の平面視略同一位置にも同様の掃き出し窓Ｗ２を有している。１階の掃き出し窓Ｗ１と２階の掃き出し窓Ｗ２との間には、上面がバルコニー２の床板７を構成し、下面が軒天井１１を構成するバルコニー本体部１２が屋外方向に突出している。バルコニー２の床板７の下部にはバルコニー２の水を排水するための空間８が形成されており、その下に勾配断熱材９、防水シート１０等を順次積層して構成している。また、バルコニー本体部１２の両側部には、地面から２階の所定高さまで延びる袖壁１３が立設されている。バルコニー２の床板７の端縁には水平材１４が両側の袖壁１３の間に架設されている。なお、水平材１４は例えば梁である。水平材１４の屋外側には、垂壁化粧材１５が固定されている。
【００２６】
バルコニー２の床板７の端縁に設けられた水平材１４の上には立ち上がり壁１６が設けられており、立ち上がり壁１６の上端に設けられた下部笠木１７の上に複数の手摺り柱１８が立設されている。そして、手摺り柱１８の上端には上部笠木１９が設けられている。手摺り柱１８には屋外方向に向かって突出する鉛直方向に３つ並んだ第一取付け片２０が設けられている。また、水平材１４には屋外方向に突出する複数の第二取付け片２１が鉛直方向に３つ並んで設けられている。この第二取付け片２１は垂壁化粧材１５を貫通して屋外側に突出している。３つの第二取付け片２１は、水平材にビスなどで固定される１枚のプレートに一体形成されている。したがって、一枚のプレートを水平材に取付けるだけで、３つの第二取付け片２１を施工することができる。
【００２７】
手摺り柱１８及び水平材１４の屋外側には格子面材２２が設けられている。格子面材２２は、水平方向に長尺な複数の長手材２４を互いに等間隔を開けて鉛直方向に複数並べた横格子である。なお、格子面材２２は横格子に限定されるものではなくデザイン上の統一感があって、少なくとも通風を確保するための間隙が設けられた面材であれば他の形状であってもよい。格子面材２２の寸法は、鉛直方向の長さが２２８０ｍｍで、水平方向の長さが５７７０ｍｍで厚さ６０ｍｍの四角い板状である。なお、格子面材２２の寸法はこれに限定されるものではない。この格子面材２２は複数の分割されたパーツ２３を組み合わせて施工される。例えば、水平方向に２つに分割され、鉛直方向に３つに分割される６つのパーツ２３を組み合わせて構成されている。
【００２８】
格子面材２２を構成する長手材２４は例えば四角筒状に形成されたアルミ合金製である。長手材２４の寸法は、長手方向の長さが２８４６ｍｍで、鉛直方向の辺が４０ｍｍ、水平方向の辺が６０ｍｍに形成されている。各長手材２４の間には４０ｍｍの間隔が設けられており通風性を確保することができる。格子面材２２の屋内側の面には例えば厚さ７ｍｍの縦材２５が配置されており、この縦材２５に長手材２４が例えば溶接又はボルト止めにより固定されることで、格子面材２２を形成している。縦材２５の更に屋内側には複数の第１の係止部２６又は第２の係止部２７が形成されている。第１の係止部２６は第一取付け片２０に引っ掛かる鉤状であり、第２の係止部２７は第二取付け片２１に引っ掛かる鉤状である。
【００２９】
図９に示すように、鉛直方向に３段に分割される格子面材２２を構成するパーツ２３のうち、最も上側のパーツ２３ａの縦材２５の上端及び下端付近にはそれぞれ第１の係止部２６が形成されている。また、格子面材２２を構成するパーツ２３のうち鉛直方向の中間に配置されるパーツ２３ｂの縦材２５の上端付近には、第１の係止部２６が形成され、下端付近には第２の係止部２７が設けられている。格子面材２２を構成するパーツ２３のうち最も下側のパーツ２３ｃの縦材２５の上部には、鉛直方向に２つの第２の係止部２７が並んで設けられている。
【００３０】
格子面材２２を取付ける際には、図９に示すように、まず最も下側のパーツ２３ｃの第２の係止部２７を、水平材１４から垂壁化粧材１５を貫通して屋外方向に突出している第二取付け片２１に引掛ける。次に鉛直方向の中間に配置されるパーツ２３ｂの第１の係止部２６を手摺り柱１８から屋外方向に突出する第一取付け片２０に引掛けるとともに、第２の係止部２７を水平材１４から突出している第二取付け片２１に引掛ける。そして、最も上側のパーツ２３ａの第１の係止部２６を手摺り柱１８から屋外方向に突出する第一の取付け片に引掛ける。各パーツ２３の第１の係止部２６及び第２の係止部２７を第一取付け片２０及び第二取付け片２１に引掛けると各箇所をビスで固定し取付を完了する。そして水平方向の隣側にも同様に上下方向に３つのパーツ２３を固定して、格子面材２２の取り付けを完了させる。
【００３１】
このように第１の係止部２６及び第２の係止部２７がそれぞれ、第一取付け片２０及び第二取付け片２１に引っ掛かって仮止めするので、比較的施工が容易であり、上下方向に３段にパーツ２３を分けることにより、更に施工を容易にすることができる。また、最も下側のパーツ２３ｃは、第２の係止部２７が上部に設けられているので、最も上側及び中間部のパーツ２３ａ，２３ｂと面一に軒天井１１よりも下方にまで垂れ下げることができる。
【００３２】
以上のように、格子面材２２の上端がバルコニー２の床板７よりも上方に所定高さまで延びて配置されることにより、バルコニー２への通風を確保しつつ、バルコニー２及びバルコニー２の屋内側に設けられる建物１開口部への視線を制御することができる。そして、格子面材２２の下端が軒天井１１よりも下方に延びて配置されるので、バルコニー２の下階への日射を遮ることができる。しかも、格子面材２２は上端から下端まで同じデザインで構成されているので、建物１のデザインを一体化した統一感のあるものとすることができる。
【００３３】
なお、本発明の格子面材２２の下端は、常に軒天井１１よりも下方に延びて配置されるものでなくてもよい。すなわち、格子面材２２は、軒天井１１よりも下方に延びて配置される状態になることができるものであれば、格子面材２２の一部又は全部を移動させて、軒天井１１よりも下方に垂れ下っていない状態を取ることができるものであってもよい。夏場などの太陽光を屋内に導入したくない場合のように、バルコニー２の下階への日射を遮る必要がある場合に格子面材２２の下端を軒天井１１の下方に配置するとともに、例えば冬場などの太陽光を屋内に導入したい場合には、格子面材２２の下端を軒天井１１よりも上方に位置するように配置して、バルコニー２の下階への日射を遮らないようにしてもよい。なお、格子面材２２の一部又は全部を移動させる為の動力は手動であっても電動などの他の動力であっても良く、また、図示しないが、格子面材２２の一部又は全部を移動させた状態を保持させるための例えばストッパのような保持手段が設けられていてもよい。
【００３４】
具体的には、例えば、最も下側の軒天井１１よりも下方に垂れ下るパーツ２３ｃを折り畳み可能に構成してもよい。すなわち、図１１及び図１２に示すように、格子面材２２を構成するパーツ２３のうち、最も下側のパーツ２３ｃを、当該パーツ２３ｃの鉛直方向の中間に設けた中間ヒンジ２９によって折り畳み可能に構成する。そして、このパーツ２３ｃの上端を水平材１４から垂壁化粧材１５を貫通した屋外方向に突出する上部ヒンジ２９によって回転可能に構成する。最も下側のパーツ２３ｃの下端はバルコニー２の側方に設けられたレール３１ａに沿って上下にスライド可能に構成する。
【００３５】
このように構成すると、図１１に示すように、最も下側のパーツ２３ｃが折り畳まれていない状態で、このパーツ２３ｃは軒天井１１よりも鉛直方向の下側に向かって垂れ下った状態となり、バルコニー２の下階への日射を遮る。そして、図１２に示すように、最も下側のパーツ２３ｃの下端をレール３１ａに沿って上方にスライドさせると、パーツ２３ｃが折り畳まれつつ前記中間ヒンジ２９が屋外方向に徐々に突き出すことで、パーツ２３ｃの下端がの軒天井１１よりも上方に配置されることになり、バルコニー２の下階へ日射を遮らない状態にすることができる。
【００３６】
なお、図１１及び図１２においては、最も下側のパーツ２３ｃを鉛直方向の中間部で折り畳む構成としたが、これに限定されず、最も下側のパーツ２３ｃに格子面材２２の幅方向に所定間隔でヒンジを設けておき、水平方向に移動させることで互い違いに蛇腹状に折り曲げられるように構成されていてもよい。また、最も下側のパーツ２３ｃが折り畳まれることなく上部ヒンジ３０により傾斜した状態に保持されることにより、下端の高さを軒天井１１の高さと同じように保持するものであってもよい。
【００３７】
また、例えば図１３及び図１４に示すように、最も下側のパーツ２３ｃが側方に設けられたレール３１ｂに沿ってスライド可能に構成されてもよい。レール３１ｂはバルコニー２の側方に設けられており、最も下側のパーツ２３ｃが中間のパーツ２３ｂと干渉しないように、屋外方向に移動させた上で、上方にスライドさせることができるように構成されている。図１３に示すように、最も下側のパーツ２３ｃが軒天井１１よりも鉛直方向の下側に向かって垂れ下った状態のとき、バルコニー２の下階への日射を遮る。そして、図１４に示すように、最も下側のパーツ２３ｃをレール３１ｂに沿って屋外方向に移動させて、その後上方にスライドさせると、パーツ２３ｃの下端がの軒天井１１よりも上方に配置されることになり、バルコニー２の下階へ日射を遮らない状態にすることができる。
【００３８】
また、図１３及び図１４のように、最も下側のパーツ２３ｃのみが上下にスライドする形態でなくとも良く、例えば、格子面材２２全体が上下にスライド可能に構成されたものであってもよい。すなわち、図１５及び図１６に示すように、側方に設けられたレール３１ｃによって格子面材２２が上下方向にスライド可能に形成されている。これにより、格子面材２２の下端が軒天井１１の下方に位置する状態と、格子面材２２の下端が軒天井１１と鉛直方向にほぼ同じ高さになる状態とに移行可能となっている。
【００３９】
したがって、図１５に示すように、格子面材２２の下端が軒天井１１の下方に位置する状態のときには、バルコニー２の下階への日射を遮り、図１６に示すように、格子面材２２の下端が軒天井１１と鉛直方向にほぼ同じ高さになる状態のときには、格子面材２２の下端が軒天井１１とほぼ同じ高さに配置されることになり、バルコニー２の下階へ日射を遮らない状態にすることができる。
【００４０】
なお、格子面材２２が上下方向にスライド可能なもの出なくてもよく、例えば、格子面材２２の上端が回転可能に固定されており、格子面材２２が上端を軸として回転することにより、格子面材２２の下端が屋外方向の上方に移動し、軒天井１１の高さよりも高い状態で保持されるものであってもよい。
【００４１】
このように、格子面材２２の下端が軒天井１１よりも下方に配置される状態から、下端が軒天井１１よりも上方に配置される状態に移行可能であるので、季節、時間、及び居住者の生活リズムに応じて太陽光を屋内に取り込むタイミングを選択できる。なお、このような効果を奏するには格子面材２２の下端が軒天井１１よりも上方に位置する状態に移行することができる構成であれば如何なる構成であっても良い。
【００４２】
また、格子面材２２は、軒天井１１よりも下方に配置されている部分３３が、軒天井１１側に折曲可能に構成されたものであってもよい。すなわち、格子面材２２の、最も下側のパーツ２３ｃの中間位置にヒンジ部３２が設けられており、このヒンジ部３２を軸としてパーツ２３ｃを軒天井１１側に折り曲げられる。これにより、格子面材２２の軒天井１１よりも下方に配置されている部分３３が軒天井１１に対して略平行に配置されることになり、バルコニー２の下階へ日射を遮らない状態にすることができる。
【００４３】
また、格子面材２２の軒天井１１よりも下方に配置されている部分３３が、軒天井１１側に折曲可能であることにかえて、屋外側に折曲可能に構成されていてもよい。このように構成しても、格子面材２２の軒天井１１よりも下方に配置されている部分３３を屋外方向に水平に突出するように配置することで、バルコニー２の下階へ日射を遮らない状態にすることができる。
【００４４】
なお、格子面材２２は軒天井１１よりも下方に配置されている部分３３が取り外し可能に構成されていても良い。このように構成すると、格子面材２２の軒天井１１よりも下方に配置されている部分３３を取り外すことで、バルコニー２の下階へ日射を遮らない状態にすることができる。
【００４５】
なお、本発明の実施の形態は上述の形態に限ることなく、本発明の思想の範囲を逸脱しない範囲で適宜変更することができることは云うまでもない。
【産業上の利用可能性】
【００４６】
本発明に係る建物１は、バルコニー２が下階の外壁面よりも突出して設けられる建物１に好適に用いることができる。
【符号の説明】
【００４７】
１      建物
２      バルコニー
７      床板
１１    軒天井
１４    水平材
２０    第一取付け片
２１    第二取付け片
２２    格子面材
２３    パーツ
２４    長手材
２６    第１の係止部
２７    第２の係止部
【図１】
2014074276.tif 000003
【図２】
2014074276.tif 000004
【図３】
2014074276.tif 000005
【図４】
2014074276.tif 000006
【図５】
2014074276.tif 000007
【図６】
2014074276.tif 000008
【図７】
2014074276.tif 000009
【図８】
2014074276.tif 000010
【図９】
2014074276.tif 000011
【図１０】
2014074276.tif 000012
【図１１】
2014074276.tif 000013
【図１２】
2014074276.tif 000014
【図１３】
2014074276.tif 000015
【図１４】
2014074276.tif 000016
【図１５】
2014074276.tif 000017
【図１６】
2014074276.tif 000018
【図１７】
2014074276.tif 000019
【図１８】
2014074276.tif 000020